(57)【要約】 【課題】  ディスク状の被搬送物を良好に搬出するディスク装置を提供する。【解決手段】  ケース体１１０の開口部の近傍に、ガイド部材および搬送ローラにて光ディスクを搬送するディスク搬送部３００を配設する。開口部の近傍に光ディスク１０を検出する検出手段５００を配設する。光ディスク１０の搬出時、光ディスク１０の外周縁が当接してスライド部材５１０，５２０がスライドし、検知スイッチＳＷ１〜ＳＷ４が適宜オンオフする。これらのオンオフのタイミングの時間差により、光ディスクの中心の移動軌跡と開口部の中心における搬送方向の直線である対称軸との関係を判断し、移動軌跡に応じて搬送モータの駆動状態を制御する。搬出完了時の進出量が一定となる。【選択図】 図１
2005293684.tif 000002
【特許請求の範囲】
【請求項１】
搬出手段による駆動動作により開口部を介してケース体内からディスク状の被搬送物をこの被搬送物の径方向に沿って搬出させる搬送制御装置であって、
前記開口部の略中央における前記被搬送物の搬出方向を対称軸としてこの対称軸から略等距離で前記開口部の開口縁近傍に１対配設され前記被搬送物を検出する検出部と、
これら検出部による前記被搬送物の検出時の時間差を認識し、この時間差が所定時間以上である場合、前記搬出手段による駆動動作の停止時期を変更する制御をする駆動制御手段と、
を具備したことを特徴とした搬送制御装置。
【請求項２】
請求項１に記載の搬送制御装置であって、
前記駆動制御手段は、前記搬出手段による駆動動作の停止時期を変更する処理として、前記検出部の少なくともいずれか一方が前記被搬送物を検出しなくなった時点から所定の時間長を経過後に前記搬出手段による駆動動作を停止させる制御をする
ことを特徴とした搬送制御装置。
【請求項３】
請求項２に記載の搬送制御装置であって、
前記駆動制御手段により前記搬出手段の駆動動作を停止させる前記所定の時間長は、前記時間差の大きさに基づいて設定される
ことを特徴とした搬送制御装置。
【請求項４】
請求項２または請求項３に記載の搬送制御装置であって、
前記所定の時間長は、前記時間差の半分の時間である
ことを特徴とした搬送制御装置。
【請求項５】
請求項１ないし請求項４のいずれかに記載の搬送制御装置であって、
前記駆動制御手段は、前記一対の検出部における前記被搬送物を検出しなくなった時点が略一致する場合には、前記搬出手段による駆動動作を直ちに停止する制御をする
ことを特徴とした搬送制御装置。
【請求項６】
請求項１ないし請求項５のいずれかに記載の搬送制御装置であって、
前記検出部は、対称軸から異なる距離で前記開口部の開口縁近傍に複数対配設された
ことを特徴とした搬送制御装置。
【請求項７】
搬出手段による駆動動作により開口部を介してケース体内からディスク状の被搬送物をこの被搬送物の径方向に沿って搬出させる搬送制御装置であって、
前記開口部の略中央における前記被搬送物の搬出方向を対称軸としてこの対称軸から異なる距離で前記開口部の開口縁近傍に２対配設され前記被搬送物を検出する検出部と、
これら検出部による前記被搬送物の検出状況に応じて前記搬出手段の駆動を制御する駆動制御手段と、
を具備したことを特徴とした搬送制御装置。
【請求項８】
搬出手段による駆動動作により開口部を介してケース体内からディスク状の被搬送物をこの被搬送物の径方向に沿って搬出させる搬送制御装置であって、
前記開口部の略中央における前記被搬送物の搬出方向に対する前記搬出される被搬送物の中心位置の移動経路の差異を検出する検出手段と、
この検出手段による前記被搬送物の検出状況に応じて前記搬出手段の駆動を制御する駆動制御手段と、
を具備したことを特徴とした搬送制御装置。
【請求項９】
請求項８に記載の搬送制御装置であって、
前記検出手段は、前記開口部の略中央における前記被搬送物の搬出方向を対称軸としてこの対称軸から異なる距離で前記開口部の開口縁近傍に２対配設され前記被搬送物を検出する検出部を備えた
ことを特徴とした搬送制御装置。
【請求項１０】
請求項６、請求項７および請求項９のうちのいずれかに記載の搬送制御装置であって、
前記対称軸から近い位置に配設された一方の対をなす検出部は、前記被搬送物を検出後における前記被搬送物を検出しなくなる時期がほぼ同時の場合に前記被搬送物が前記開口部から搬出される状態となる位置に配設され、
前記対称軸から遠い位置に配設された他方の対をなす検出部における前記被搬送物を検出後における前記被搬送物を検出しなくなる時期がほぼ同時の場合に、前記搬出手段の駆動により前記被搬送物の中心が前記対称軸上に位置して搬出される状態となる位置に配設された
ことを特徴とした搬送制御装置。
【請求項１１】
請求項６、請求項７、請求項９および請求項１０のうちのいずれかに記載の搬送制御装置であって、
前記駆動制御手段は、前記搬送手段により搬送される前記被搬送物の中心の移動軌跡が前記対称軸上を移動する状態で、前記対称軸から遠い位置に配設された他方の対をなす検出部における前記被搬送物を検出後における前記被搬送物を検出しなくなる時期がほぼ同時の場合における前記被搬送物が前記開口部から搬出された位置を基準位置とし、この基準位置で前記被搬送物の搬出が完了する状態に前記検出部による前記被搬送物の検出状態に応じて前記搬送手段の駆動状態を制御する
ことを特徴とした搬送制御装置。
【請求項１２】
請求項６、請求項７および請求項９ないし請求項１１のうちのいずれかに記載の搬送制御装置であって、
前記駆動制御手段は、前記対称軸に近い位置に配設された一方の対をなす検出部における前記被搬送物を検出する第１の時間差と、前記対称軸から遠い位置に配設された他方の対をなす検出部における前記被搬送物を検出する第２の時間差とに基づいて、前記搬出手段の駆動時間を制御する
ことを特徴とした搬送制御装置。
【請求項１３】
請求項１２に記載の搬送制御装置であって、
前記駆動制御手段は、前記対称軸から遠い位置に配設された他方の対をなす検出部における前記被搬送物を検出後における前記被搬送物を検出しなくなる時期がほぼ同時の場合には、前記被搬送物の中心が前記対称軸上に位置すると判断し、この時点で前記搬出手段の駆動を停止する制御をする
ことを特徴とした搬送制御装置。
【請求項１４】
請求項１２または請求項１３に記載の搬送制御装置であって、
前記駆動制御手段は、前記第１の時間差がほぼ０であって、この第１の時間差より前記第２の時間差が長い時間の場合には、搬送される前記被搬送物の中心における移動軌跡が搬送途中で前記対称軸から外れる状態となったと判断し、前記対称軸から遠い位置に配設された他方の対をなす検出部のいずれか一方が前記被搬送物を検出できなくなってから所定時間経過した第１の所定時間後に前記搬出手段の駆動を停止する制御をし、
前記第１の時間差が０ではなく、この第１の時間差と前記第２の時間差とがほぼ同じ時間長の場合には、搬送される前記被搬送物の中心における移動軌跡が搬送当初から前記対称軸からずれ、その位置ずれの状態で搬送されていると判断し、前記対称軸から遠い位置に配設された他方の対をなす検出部のいずれか一方が前記被搬送物を検出できなくなってから所定時間経過した前記第１の所定時間より長い第２の所定時間後に前記搬出手段の駆動を停止する制御をし、
前記第１の時間差が０ではなく、この第１の時間差とより前記第２の時間差が長い時間の場合には、搬送される前記被搬送物の中心における移動軌跡が搬送当初から前記対称軸からずれ、かつ搬送途中で次第に前記対称軸から外れる状態となったと判断し、前記対称軸から遠い位置に配設された他方の対をなす検出部のいずれか一方が前記被搬送物を検出できなくなってから所定時間経過した前記第２の所定時間より長い第３の所定時間後に前記搬出手段の駆動を停止する制御をする
ことを特徴とした搬送制御装置。
【請求項１５】
請求項１４に記載の搬送制御装置であって、
前記第１の所定時間、前記第２の所定時間および前記第３の所定時間は、前記対称軸から遠い位置に配設された他方の対をなす検出部の双方が前記被搬送物を検出できなくなる前に前記駆動制御手段が前記搬出手段の駆動を停止する条件に設定された
ことを特徴とした搬送制御装置。
【請求項１６】
請求項６、請求項７および請求項９ないし請求項１５のうちのいずれかに記載の搬送制御装置であって、
前記ケース体内における前記被搬送物の有無を検出する収容検出手段を具備し、
前記駆動制御手段は、前記収容検出手段が前記ケース体内に前記被搬送物がないことを検出している状態で、少なくとも前記対称軸から近い位置に配設された一方の対をなす検出部が前記被搬送物を検出したことを認識すると、前記被搬送物を前記開口部を介して前記ケース体内へ前記被搬送物を搬入する状態に前記搬出手段を駆動させる制御をする
ことを特徴とした搬送制御装置。
【請求項１７】
請求項１ないし請求項１６のいずれかに記載の搬送制御装置であって、
前記駆動制御手段は、前記被搬送物の搬出を要求する旨の信号を認識すると、前記搬出手段にて前記被搬送物を搬出させる動作を開始させる
ことを特徴とした搬送制御装置。
【請求項１８】
搬出手段による駆動動作により開口部を介してケース体内からディスク状の搬送物をこの搬送物の径方向に沿って搬出させる搬送制御方法であって、
前記開口部の略中央における前記被搬送物の搬出方向を対称軸としてこの対称軸から略等距離で前記開口部の開口縁近傍に１対配設され前記被搬送物を検出する検出部を用い、
これら検出により前記被搬送物の検出時の時間差を認識し、
この認識した時間差が所定時間以上である場合には、前記搬出手段による駆動動作の停止時期を変更する制御をする
ことを特徴とする搬送制御方法。
【請求項１９】
搬出手段による駆動動作により開口部を介してケース体内からディスク状の被搬送物をこの被搬送物の径方向に沿って搬出させる搬送制御方法であって、
前記開口部の略中央における前記被搬送物の搬出方向を対称軸としてこの対称軸から異なる距離で前記開口部の開口縁近傍に２対配設され前記被搬送物を検出する検出部を用い、
これら検出部により前記被搬送物の検出状況に応じて前記搬出手段の駆動を制御する
ことを特徴とする搬送制御方法。
【請求項２０】
搬出手段による駆動動作により開口部を介してケース体内からディスク状の被搬送物をこの被搬送物の径方向に沿って搬出させる搬送制御方法であって、
前記開口部の略中央における前記被搬送物の搬出方向に対する前記搬出される被搬送物の中心の移動経路の差異を検出する検出手段を用い、
この検出手段による前記被搬送物の検出状況に応じて前記搬出手段の駆動を制御する
ことを特徴とする搬送制御方法。
【請求項２１】
駆動動作により開口部を介してケース体内からディスク状の被搬送物をこの被搬送物の径方向に沿って搬出する搬出手段と、
この搬出手段の駆動を制御する請求項１ないし請求項１７のいずれかに記載の搬送制御装置と、
を具備したことを特徴とした搬送装置。
【請求項２２】
請求項２１に記載の搬送装置であって、
前記被搬送物は、少なくともいずれか一面に情報が記録される記録面を有したディスク状記録媒体である
ことを特徴とした搬送装置。
【請求項２３】
ケース体と、
このケース体内に配設され前記ディスク状記録媒体の記録面に記録された前記情報を読み取る読取処理および前記記録面に前記情報を記録する記録処理のうちの少なくともいずれか一方を実施する情報処理手段と、
請求項２２に記載の搬送装置と、
を具備したことを特徴としたディスク装置。
【発明の詳細な説明】
【技術分野】
【０００１】
本発明は、ディスク状の被搬送物をケース体内から開口部を介して搬出する搬送制御装置、その方法、搬送装置、および、ディスク装置に関する。
【背景技術】
【０００２】
従来、ディスク状の被搬送物としてディスク状記録媒体に記録された情報を読み取ったり、記録したりするディスク装置が知られている。このディスク装置として、正面に開口するスリット状の開口部を介してディスク状記録媒体をケース体内に搬入あるいはケース体内から搬出する搬送装置が設けられたいわゆるスロットインタイプがある。このスロットインタイプのディスク装置は、スイッチやセンサなどにてディスク状記録媒体を検出し、この検出状態に基づいて搬送装置の駆動動作を制御している（例えば、特許文献１および特許文献２参照）。
【０００３】
特許文献１に記載のものは、ディスク通過検出スイッチにより、大径ディスクの排出時の通過を検出したとはディスクの引き込み排出を行うローラの駆動を停止する。また、小径ディスクの排出時の通過をディスク通過検出スイッチが検出すると、一定時間駆動して距離Ａだけ排出してローラによる駆動を停止させ、大小径の異なるディスクでもディスクセンター孔が装置本体外に排出された状態で停止させる構成が採られている。
【０００４】
特許文献２に記載のものは、ディスクをクランプするクランプ機構部で小径ディスクをクランプした際には対向せず、大型ディスクをクランプした際に対向する位置で、かつ、それぞれ所定の排出位置で小径と大径のディスクにそれぞれ対向せず、両ディスクの外周が交差する位置の近傍に光学式の検出器を配設する。ディスクが挿入されると、ディスクの外周縁を検出器にて検出し、搬送用ローラを始動させ、搬入させる。ディスクの排出時は、検出器でディスクを検知できなくなると搬送用ローラを停止させる構成が採られている。
【０００５】
【特許文献１】特開２００１−５６９９４号公報（第２頁右欄−第３頁右欄、図１）
【特許文献２】特開２００３−２０８７４４号公報（第４頁右欄−第８頁左欄、図３）
【発明の開示】
【発明が解決しようとする課題】
【０００６】
ところで、上記特許文献１および特許文献２に記載のような従来の構成において、ディスク状記録媒体を搬送装置にて搬出する際、ディスク状記録媒体の中心が開口部の中心を通るディスク状記録媒体の搬送経路から外れる場合がある。この場合、ディスク状記録媒体の中心が搬送経路上で移動する通常の場合に較べ、スイッチやセンサによるディスク状記録媒体の検出状態が変わる。したがって、ディスク状記録媒体が通常時の所定の位置で停止せず、例えばより多く搬出されて開口部から脱落したり、所定の位置の手前で停止しディスク状記録媒体が良好に取り出せなかったりするなどの不都合が生じるおそれがある問題点が一例として挙げられる。
【０００７】
本発明は、上述したような実情などに鑑みて、ディスク状の被搬送物を良好に搬出する搬送制御装置、その方法、搬送装置、および、ディスク装置を提供することを目的とする。
【課題を解決するための手段】
【０００８】
請求項１に記載の発明は、搬出手段による駆動動作により開口部を介してケース体内からディスク状の被搬送物をこの被搬送物の径方向に沿って搬出させる搬送制御装置であって、前記開口部の略中央における前記被搬送物の搬出方向を対称軸としてこの対称軸から略等距離で前記開口部の開口縁近傍に１対配設され前記被搬送物を検出する検出部と、これら検出部による前記被搬送物の検出時の時間差を認識し、この時間差が所定時間以上である場合、前記搬出手段による駆動動作の停止時期を変更する制御をする駆動制御手段と、を具備したことを特徴とした搬送制御装置である。
【０００９】
請求項７に記載の発明は、搬出手段による駆動動作により開口部を介してケース体内からディスク状の被搬送物をこの被搬送物の径方向に沿って搬出させる搬送制御装置であって、前記開口部の略中央における前記被搬送物の搬出方向を対称軸としてこの対称軸から異なる距離で前記開口部の開口縁近傍に２対配設され前記被搬送物を検出する検出部と、これら検出部による前記被搬送物の検出状況に応じて前記搬出手段の駆動を制御する駆動制御手段と、を具備したことを特徴とした搬送制御装置である。
【００１０】
請求項８に記載の発明は、搬出手段による駆動動作により開口部を介してケース体内からディスク状の被搬送物をこの被搬送物の径方向に沿って搬出させる搬送制御装置であって、前記開口部の略中央における前記被搬送物の搬出方向に対する前記搬出される被搬送物の中心位置の移動経路の差異を検出する検出手段と、この検出手段による前記被搬送物の検出状況に応じて前記搬出手段の駆動を制御する駆動制御手段と、を具備したことを特徴とした搬送制御装置である。
【００１１】
請求項１８に記載の発明は、搬出手段による駆動動作により開口部を介してケース体内からディスク状の搬送物をこの搬送物の径方向に沿って搬出させる搬送制御方法であって、
前記開口部の略中央における前記被搬送物の搬出方向を対称軸としてこの対称軸から略等距離で前記開口部の開口縁近傍に１対配設され前記被搬送物を検出する検出部を用い、これら検出により前記被搬送物の検出時の時間差を認識し、この認識した時間差が所定時間以上である場合には、前記搬出手段による駆動動作の停止時期を変更する制御をすることを特徴とする搬送制御方法である。
【００１２】
請求項１９に記載の発明は、搬出手段による駆動動作により開口部を介してケース体内からディスク状の被搬送物をこの被搬送物の径方向に沿って搬出させる搬送制御方法であって、前記開口部の略中央における前記被搬送物の搬出方向を対称軸としてこの対称軸から異なる距離で前記開口部の開口縁近傍に２対配設され前記被搬送物を検出する検出部を用い、これら検出部により前記被搬送物の検出状況に応じて前記搬出手段の駆動を制御することを特徴とする搬送制御方法である。
【００１３】
請求項２０に記載の発明は、搬出手段による駆動動作により開口部を介してケース体内からディスク状の被搬送物をこの被搬送物の径方向に沿って搬出させる搬送制御方法であって、前記開口部の略中央における前記被搬送物の搬出方向に対する前記搬出される被搬送物の中心の移動経路の差異を検出する検出手段を用い、この検出手段による前記被搬送物の検出状況に応じて前記搬出手段の駆動を制御することを特徴とする搬送制御方法である。
【００１４】
請求項２１に記載の発明は、駆動動作により開口部を介してケース体内からディスク状の被搬送物をこの被搬送物の径方向に沿って搬出する搬出手段と、この搬出手段の駆動を制御する請求項１ないし請求項１７のいずれかに記載の搬送制御装置と、を具備したことを特徴とした搬送装置である。
【００１５】
請求項２３に記載の発明は、ケース体と、このケース体内に配設され前記ディスク状記録媒体の記録面に記録された前記情報を読み取る読取処理および前記記録面に前記情報を記録する記録処理のうちの少なくともいずれか一方を実施する情報処理手段と、請求項２２に記載の搬送装置と、を具備したことを特徴としたディスク装置である。
【発明を実施するための最良の形態】
【００１６】
以下、本発明における一実施の形態を図面に基づいて説明する。本実施の形態では、ディスク状の被搬送物としてのディスク状記録媒体である光ディスクに情報を記録および読み出すいわゆるスロットインタイプのディスク装置に適用して説明するが、ディスク状の被搬送物を搬送するいずれの搬送装置を対象とすることができる。さらには、光ディスクの情報処理をするディスク装置に限らず、いずれのディスク装置に適用できる。また、ディスク状記録媒体としては、光ディスクに限らず、磁気ディスク、光磁気ディスクなどのいずれのディスク状記録媒体を対象とすることができる。また、例えば車載用のナビゲーション装置に装着されるいわゆる薄型のスロットインタイプで例示するが、携帯型のパーソナルコンピュータなどの電気機器に装着されるゲーム機や映像データの録画などの記録や再生のための処理をする再生装置などの単体の構成としてもよく、薄型の構成に限られない。
【００１７】
〔ディスク装置の構成〕
図１は、本発明の一実施の形態に係るディスク装置の概略構成を示す一部を切り欠いた平面図である。図２は、ディスク装置の概略構成を示す一部を切り欠いた平面図であり、光ディスクの略半分が挿入された状態を説明する図である。図３は、ディスク搬送部の概略構成を示す概念図で、光ディスクを搬送している状態を説明する図である。図４は、ディスク装置の検出手段近傍を示す一部を切り欠いた平面図であり、光ディスクの挿入当初の状態を説明する図である。図５は、ディスク装置の検出手段近傍を示す一部を切り欠いた平面図であり、光ディスクの搬出時に位置ずれが生じている状態を説明する図である。
【００１８】
図１および図２において、１００はディスク装置で、このディスク装置１００は、例えば車載用のナビゲーション装置に装着されるいわゆる薄型のスロットインタイプである。このディスク装置１００は、着脱可能に装着されるディスク状記録媒体としての円板状の光ディスク１０における少なくとも一面に設けられた図示しない記録面に記録された情報を読み出す情報処理である読取処理、および、記録面へ各種情報を記録する情報処理である記録処理をする。そして、ディスク装置１００は、例えば金属製で内部空間を有する略箱形状のケース体１１０を有している。このケース体１１０には、一側面に例えば合成樹脂にて細長板状に形成された図示しない化粧板が設けられている。この化粧板には、長手方向に沿って細長スリット状に設けられた図示しない開口部が設けられている。また、ケース体１１０内には、情報処理を実行するディスク処理部２００と、搬出手段としてのディスク搬送部３００と、収容検出手段としての搬入検知手段４００と、検出手段５００と、ディスク装置１００全体の動作を制御する駆動制御手段としても機能する図示しないシステム制御部と、が配設されている。
【００１９】
ディスク処理部２００は、対向する一対の台座部２１０を有している。これら台座部２１０は、互いに対向方向で回動可能にケース体１１０内に配設されている。そして、一方の台座部２１０には、他方の図示しない台座部に回転可能に支持された図示しない回転子とともに図示しない駆動手段を構成するディスク回転駆動手段２２０が配設されている。このディスク回転駆動手段２２０は、一方の台座部２１０に配設されたスピンドルモータ２２１と、このスピンドルモータ２２１の出力軸２２１Ａに一体的に設けられたターンテーブル２２２と、を備えている。スピンドルモータ２２１は、システム制御部に制御可能に接続され、システム制御部から供給される電力により駆動する。ターンテーブル２２２は、光ディスク１０の中心に開口形成された軸孔１０Ａに嵌挿して軸支する軸支部である略円柱状の回転軸２２２Ａと、この回転軸２２２Ａの外周面にフランジ状に突設され光ディスク１０の軸孔１０Ａの周縁が載置されて支持する鍔部２２２Ｂと、を備えている。そして、ターンテーブル２２２は、互いに対向する方向に台座部２１０が回動されることで、他方の台座部に支持された図示しない回転子とにより光ディスク１０を挾持する。この挾持された光ディスク１０は、スピンドルモータ２２１の駆動により回転するターンテーブル２２２および挾持する回転子とともに回転される。この一対の台座部２１０の回動は、ディスク搬送部３００の図示しない搬送モータの駆動が図示しない伝達部材を介して伝達されて動作する。
【００２０】
また、一方の台座部２１０には、情報処理手段としての光ピックアップ２３０を移動させる移動手段２４０が配設されている。この移動手段２４０は、一対のガイドシャフト２４１およびステッピングモータや直流モータなどの移動用モータ２４２を備えている。そして、一対のガイドシャフト２４１は、例えば金属製の細長棒状に形成され、台座部２１０に略平行に配設されている。また、移動用モータ２４２は、システム制御部に制御可能に接続され、システム制御部から供給される電力により駆動する。そして、移動用モータ２４２の図示しない出力軸には、例えば金属製の細長棒状のリードスクリュ２４２Ａが同軸上に一体に連結されている。このリードスクリュ２４２Ａの外周面には、螺旋状に係合溝２４２Ｂが設けられている。
【００２１】
そして、一対のガイドシャフト２４１には、光ピックアップ２３０が移動可能に支持されている。光ピックアップ２３０は、一対のガイドシャフト２４１間に架橋する状態で保持される保持部２３１を備えている。この保持部２３１には、移動手段２４０のリードスクリュ２４２Ａの係合溝２４２Ｂに係合する移動規制爪部２３１Ｂが設けられている。そして、光ピックアップ２３０は、保持部２３１に配設された、図示しない光源と、この光源からの光を光ディスク１０に照射させる対物レンズ２３２Ａを有する図示しない複数の光学素子と、光ディスク１０から反射された光を検出する図示しない光センサなどを有している。この光ピックアップ２３０は、システム制御部に信号を送受信可能に接続され、システム制御部の制御により、光ディスク１０の記録面に記録された各種情報を読み取ってシステム制御部へ出力する読取処理や、システム制御部からの各種情報を記録面に記録する記録処理を実施する。
【００２２】
ディスク搬送部３００は、図３に示すように、ケース体１１０に配設されたガイド部材３１０と、ケース体１１０に回動自在に配設された回転部材としての搬送ローラ３２０と、搬送ローラ３２０を回転駆動する図示しない駆動手段と、を備えている。搬送ローラ３２０は、光ディスク１０の一方の面である記録面側に位置するように設けられ、ガイド部材３１０は、光ディスク１０の他方の面であるレーベル面側に位置するように設けられている。すなわち、ディスク搬送部３００は、搬送ローラ３２０とガイド部材３１０との間に光ディスク１０の搬送経路が設けられ、この搬送経路を通して光ディスク１０を化粧板の開口部の開口面に対して直交する搬送方向に沿ってケース体１１０内に搬入またはケース体１１０内から搬出する。
【００２３】
ガイド部材３１０は、例えば樹脂製で搬送経路における搬送方向に対して略直交する方向に長手状で、かつ搬送経路に向けて突出する高さ寸法が長手方向の両端側で次第に高くなる状態に壁状で、正面視で逆Ｖ字状に形成されている。そして、ガイド部材３１０は、搬送方向で略並列に設けられている。
【００２４】
搬送ローラ３２０は、長尺略鼓型に形成され、搬送方向に対して交差する方向に回転軸方向を有して回転可能に、一対のガイド部材３１０間に位置する状態で配設されている。搬送ローラ３２０は、外周面に軟質部材であるゴムなどが被覆形成され、軸方向の両端部にしたがって次第に径寸法が大きくなる状態に長尺略鼓状に形成されている。そして、搬送ローラ３２０の軸方向の一端には、駆動手段の図示しない電動モータの駆動を伝達する各種歯車を有した伝達部材に連結され、電動モータの駆動により回転する。
【００２５】
そして、ディスク搬送部３００は、光ディスク１０が所定の位置であるターンテーブル２２２および回転子にて挾持されて情報処理される処理位置まで搬送されると、ガイド部材３１０および搬送ローラ３２０間が離間する状態に動作する。すなわち、搬送モータの駆動により、一対の台座部２１０が対向方向に回動されるとともに、カムなどの動力伝達部材を介して搬送ローラ３２０がガイド部材３１０から離間する状態に移動される。このことにより、台座部２１０の回動により回転可能に支持された光ディスク１０にガイド部材３１０および搬送ローラ３２０が接触しない状態となる。
【００２６】
搬入検知手段４００は、図１に示すように、一方の台座部２１０に配設され、光ディスク１０がターンテーブル２２２および他方の台座部の回転子で挾持される位置まで略搬入されたことを検知する。この搬入検知手段４００は、台座部２１０に軸支された軸部４１０と、この軸部４１０に固定されたアーム部４２０と、を備えている。アーム部４２０の一端には、ディスク搬送部３００で搬入された光ディスク１０に当接する一方の当接部４２１が設けられており、アーム部４２０の他端には、図示しない搬入検知スイッチに当接する他方の当接部４２２が設けられている。また、軸部４１０には、図示しないねじりコイルばねが設けられており、このねじりコイルばねの付勢力により一方の当接部４２１が光ディスク１０の搬送経路内に突出して設けられている。この一方の当接部４２１に搬入された光ディスク１０が当接することで、アーム部４２０が軸部４１０を中心にして回動し、他方の当接部４２２が搬入検知スイッチに当接し、搬入検知スイッチがオンになる。この搬入検知スイッチのオン信号がシステム制御部へ出力され、このオン信号に基づいて、システム制御部は、光ディスク１０が所定の位置、すなわちターンテーブル２２２および回転子に挾持されて情報処理される処理位置に位置することを認識する。なお、搬入検知スイッチは、光ディスク１０の径寸法が異なる、例えば径寸法が８ｃｍおよび１２ｃｍでそれぞれ異なる信号を出力可能な構成や回動するアーム部４２０の回動状況に応じてオンオフタイミングが異なる複数のスイッチにて径寸法が異なる光ディスク１０を検知可能な構成としてもよい。
【００２７】
検出手段５００は、図１、図２、図４および図５に示すように、開口部を介して挿入される光ディスク１０を検出するとともに、搬送ローラ３２０にて搬送される光ディスク１０の搬送状況を検出する。そして、検出手段５００は、一対のスライド部材５１０，５２０と、コイルばね５３０と、複数例えば２対４つの検出部としての検知スイッチＳＷ１，ＳＷ２，ＳＷ３，ＳＷ４と、光ディスク１０の種別を検出する種別検知スイッチＳＷ５と、を備えている。
【００２８】
一対のスライド部材５１０，５２０は、例えば滑動性が良好なアクリロニトリル−ブタジエン−スチレン（ＡＢＳ：Acrylonitrile-butadiene-styrene）などの樹脂製で、ケース体１１０に開口部の近傍に位置して、開口部の長手方向であるケース体１１０の幅方向にスライド自在に一対配設されている。これらスライド部材５１０，５２０は、開口部の略中央を通る搬送方向に沿った軸、すなわち、開口部の中央とターンテーブル２２２の中心軸とを通る直線を図５に示すように対称軸Ｘとして対称的に配設され、対称軸Ｘに対して一側でそれぞれ移動可能に配設される。
【００２９】
そして、スライド部材５１０，５２０は、それぞれ一面側から検知部が突設されている。この検知部は、開口部の幅方向に沿った軸方向で設けられた図示しない回転シャフトと、この回転シャフトに回転自在に軸支された円筒状の検知ローラ５１１とを備え、開口部を介して搬送される光ディスク１０の外周面に当接可能に、開口部に臨んで搬送経路上に突出する状態に設けられている。この検知部は、光ディスク１０が対称軸Ｘに対して中心が最もずれて開口部の開口縁に光ディスク１０の外周縁が当接する状態で挿入されても検知ローラ５１１とケース体の幅方向の側面間に光ディスク１０が挿入されず、検知ローラ５１１間に案内して挿入される位置にそれぞれ設けられている。
【００３０】
また、スライド部材５１０，５２０は、移動方向に長手状の検知腕部５１２を有している。この検知腕部５１２は、先端側が幅狭に形成され、スライド方向に対して略直交する搬送方向で段差状に第１の段差部５１２Ａおよび第２の段差部５１２Ｂを有している。そして、一対のスライド部材５１０，５２０は、互いにコイルばね５３０の端部が連結され、ケース体１１０の幅方向の略中央に向けて付勢すなわち引張力が作用された状態に配設される。また、一方のスライド部材５１０は、移動方向に長手状の種別検知腕部５１３を有している。
【００３１】
検知スイッチＳＷ１〜ＳＷ４は、スライド部材５１０，５２０の移動により検知腕部５１２によりオンオフするスイッチ構成で、オンオフによる電気信号がシステム制御部に出力される。そして、検知スイッチＳＷ１〜ＳＷ４は、上述した対称軸Ｘから異なる距離で２対４つ配設、すなわち検知スイッチＳＷ１，ＳＷ２は対称軸Ｘからそれぞれ等距離で比較的に近い位置で、検知スイッチＳＷ３，ＳＷ４は対称軸Ｘからそれぞれ等距離で比較的に遠い位置に配設されている。さらに、検知スイッチＳＷ１，ＳＷ２と、検知スイッチＳＷ３，ＳＷ４とは、搬送方向で変位した位置、すなわちスライド部材５１０，５２０の第１の段差部５１２Ａおよび第２の段差部５１２Ｂの位置に対応して配設されている。
【００３２】
具体的には、スライド部材５１０，５２０が通常状態である対称軸Ｘに最接近する位置で、検知スイッチＳＷ１，ＳＷ２が第１の段差部５１２Ａによりオンし、検知スイッチＳＷ３，ＳＷ４が第２の段差部５１２Ｂによりオンする位置関係となっている。また、検知スイッチＳＷ１，ＳＷ２は、検知ローラ５１１に光ディスク１０の外周縁が当接してスライド部材５１０，５２０が若干移動した際に検知スイッチＳＷ１，ＳＷ２が第１の段差部５１２Ａから外れる状態となってオフする。すなわち、径寸法が約１２ｃｍの光ディスク１０が対称軸Ｘに対して中心が一方に最もずれて開口部の開口縁に光ディスク１０の外周縁が当接する状態で挿入された際に、光ディスク１０の外周縁が搬送ローラ３２０の周面に当接する直前で光ディスク１０の外周縁が両方のスライド部材５１０，５２０の検知ローラ５１１に当接して検知スイッチＳＷ１，ＳＷ２ともオフする位置となっている。また、検知スイッチＳＷ１，ＳＷ２は、径寸法が約８ｃｍの光ディスク１０が開口部から挿入されて外周縁が搬送ローラ３２０の周面に当接する直前で検知ローラ５１１に当接して少なくとも一方の検知スイッチＳＷ１（ＳＷ２）がオフする状態となっている。さらに、検知スイッチＳＷ１，ＳＷ２は、光ディスク１０が処理位置に略位置し搬入検知手段４００が処理位置に略位置することを検知する状態でオンする状態となる位置に配設されている。
【００３３】
また、検知スイッチＳＷ３，ＳＷ４は、光ディスク１０の挿入時や搬送によりスライド部材５１０，５２０が移動すると、第２の段差部５１２Ｂから外れる状態となってオフする。そして、径寸法が約８ｃｍの光ディスク１０がケース体１１０内から対称軸Ｘに対して中心がずれなく搬出される際に、外周縁の一部がガイド部材３１０および搬送ローラ３２０に挾持される状態でかつ光ディスク１０の略中央に開口する軸孔１０Ａが開口部からケース体１１０外に位置する状態で検知スイッチＳＷ３，ＳＷ４は両方ともほぼ同時にオンからオフ状態となる位置に配設されている。さらに、検知スイッチＳＷ１，ＳＷ３（ＳＷ２，ＳＷ４）がオフする状態で、搬出される約８ｃｍの光ディスク１０の外周面が搬送ローラ３２０およびガイド部材３１０との挾持が解除される前に検知スイッチＳＷ４（ＳＷ３）がオンする位置関係に配設されている。
【００３４】
種別検知スイッチＳＷ５は、スライド部材５１０の移動により種別検知腕部５１３によりオンオフするスイッチ構成で、オンオフによる電気信号がシステム制御部に出力される。この種別検知スイッチＳＷ５は、開口部の長手方向の一端側に位置して配設されている。具体的には、径寸法が約１２ｃｍの光ディスク１０が挿入された際、少なくとも検知スイッチＳＷ４および種別検知スイッチＳＷ５が双方とも切り替わる。さらに、径寸法が約８ｃｍの光ディスク１０を図２における左一方に最もずれた状態で挿入された場合には種別検知スイッチ５は切り替わるが検知スイッチＳＷ４は切り替わらない位置関係に配設されている。このことにより、挿入された光ディスク１０が１２ｃｍであるか、８ｃｍであるかを識別可能となる。また、搬出される約１２ｃｍの光ディスク１０の外周面が搬送ローラ３２０およびガイド部材３１０との挾持が解除される前に検知スイッチＳＷ５がオンする位置関係に配設されている。
【００３５】
システム制御部は、例えば各種電気部品が搭載された回路基板に回路構成として構成され、ディスク装置１００全体の動作を制御する。そして、システム制御部は、検知スイッチＳＷ１，ＳＷ２の少なくともいずれか一方がオフとなったことを認識すると、光ディスク１０が挿入されたと判断し、ディスク搬送部３００の搬送モータを駆動させて搬送ローラ３２０を回転駆動させ、光ディスク１０を開口部からケース体１１０内に搬入させる制御をする。また、システム制御部は、搬入検知手段４００の搬入検知スイッチがオンとなったことを認識すると、光ディスク１０が挿入されたと判断し、一対の台座部２１０を互いに対向方向に回動させ、ターンテーブル２２２および回転子にて光ディスク１０を挟持させる制御をする。
【００３６】
また、システム制御部は、光ディスク１０の排出要求を認識すると、一対の台座部２１０を互いに対向方向と反対側へ回動させ、ターンテーブル２２２および回転子による光ディスク１０の挟持を解除させる。さらに、システム制御部は、ディスク搬送部３００の搬送モータを駆動させて搬送ローラ３２０を回転駆動させ、光ディスク１０を開口部から搬出させる制御をする。ここで、排出要求としては、例えばイジェクトボタンの操作を認識、あるいは電気機器からの光ディスク１０を排出させる指令信号などを認識することなどが例示できる。
【００３７】
この光ディスク１０の搬出の際、システム制御部は、検知スイッチＳＷ１〜ＳＷ４および種別検知スイッチＳＷ５のオンオフ状態に基づいて、搬出される光ディスク１０の搬送状態を認識し、ディスク搬送部３００の搬送モータの駆動を適宜制御し、光ディスク１０が所定の位置で搬出が完了する状態とする。すなわち、搬出される光ディスク１０の中心が対称軸Ｘからずれて搬出される場合でも、中心が対称軸Ｘ上で移動する状態に搬出される場合における搬出完了時の開口部からの進出量とほぼ同一となる状態に搬送モータの駆動を制御する。
【００３８】
〔ディスク装置の動作〕
次に、上記一実施の形態におけるディスク装置１００の動作を図面に基づいて説明する。図６は、光ディスクの搬出時の中心の移動軌跡の状況を検知スイッチとの関係で示す説明図である。図７ないし図１１は、各移動軌跡の場合の検知スイッチの波形図で、（Ａ）は検知スイッチＳＷ１の波形図、（Ｂ）は検知スイッチＳＷ２の波形図、（Ｃ）は検知スイッチＳＷ３の波形図、（Ｄ）は検知スイッチＳＷ４の波形図であり、図７は移動軌跡Ａの場合、図８は移動軌跡Ｂの場合、図９は移動軌跡Ｃの場合であって光ディスク１０の中心が対称軸Ｘ上に戻る場合、図１０は移動規制Ｃの場合であって光ディスクの中心が対称軸Ｘ上に戻らない場合、図１１は移動軌跡Ｄの場合、図１２は移動軌跡Ｅの場合を示す。
【００３９】
まず、電気機器の電源の投入により、ディスク装置１００に電力が供給される。この電力の供給により、システム制御部は搬入検知手段４００の搬入検知スイッチのオンオフ状態に基づいて光ディスク１０が装填されているか否かを認識する。具体的には、搬入検知手段４００の搬入検知スイッチがオンしている場合には、光ディスク１０が装填されて搬入完了位置に位置すると判断する。一方、搬入検知手段４００の搬入検知スイッチがオフしている場合には、光ディスク１０が装填されていないと判断する。そして、システム制御部は、例えば電気機器の動作を制御する回路へ光ディスク１０が装填されているか否かに関する信号を出力し、光ディスク１０の装着状態を表示装置などにて表示させる。
【００４０】
そして、光ディスク１０が装填されていない状態で光ディスク１０が開口部から挿入されると、光ディスク１０の外周縁が検出手段５００のスライド部材５１０，５２０のいずれか一方の検知ローラ５１１に当接する。この状態でさらに光ディスク１０が押し込まれると、例えば図４に示すように、検知部がコイルばねの５３０の付勢力に抗して外側へ押し出される状態にスライド部材５１０（５２０）が移動する。この移動当初で、スライド部材５１０（５２０）の第１の段差部５１２Ａが検知スイッチＳＷ１（ＳＷ２）から外れる状態となってオフする。このオフに対応する電気信号をシステム制御部が受信すると、光ディスク１０が挿入されたと判断し、ディスク搬送部３００の搬送モータを駆動させ、搬送ローラ３２０を回転させる。
【００４１】
そして、挿入される光ディスク１０がガイド部材３１０および搬送ローラ３２０間に挿入される状態となると、光ディスク１０はガイド部材３１０および搬送ローラ３２０に挾持される状態で回転する搬送ローラ３２０によりケース体１１０内に搬送される。そして、所定の位置である処理位置の直前まで搬送されると、搬送されている光ディスク１０の外周縁が搬入検知手段４００の当接部４２１に当接してアーム部４２０が回動し、当接部４２２が搬入検知スイッチに当接して搬入検知スイッチがオンする。この搬入検知スイッチのオンにより、システム制御部は、一対の台座部２１０を互いに対向方向に回動させ、ターンテーブル２２２および回転子にて光ディスク１０を挟持させる制御をするとともに搬送モータの駆動を停止させる制御をする。このことにより、光ディスク１０はターンテーブル２２２および回転子にて挾持され、システム制御部の制御によりフォーカスサーチおよびトラッキングサーチなどを実施し、光ディスク１０がＣＤ（Compact Disc）かＤＶＤ（Digital Versatile Disc）などの種別を認識する制御や、リードインエリアの情報を読み取るなどの情報処理を実施する。さらに、別途情報処理を要求する旨をシステム制御部が認識すると、ディスク処理部２００を適宜動作制御し、情報の読み取りや記録などの情報処理を実行する。
【００４２】
この光ディスク１０の搬入の際、径寸法が１２ｃｍの光ディスク１０であればスライド部材５１０の種別検知腕部５１３が種別検知スイッチＳＷ５をオンさせ、径寸法が８ｃｍの光ディスク１０であれば種別検知スイッチＳＷ５はオンしない。このことにより、システム制御部は径寸法の異なる光ディスク１０の種別を認識する。そして、光ディスク１０がケース体１１０内に搬入されてターンテーブル２２２および回転子にて挾持されて情報処理される搬入完了位置まで搬入された状態では、検知スイッチＳＷ１〜ＳＷ４は再びオンとなり、種別検知スイッチＳＷ５は再びオフとなる。
【００４３】
一方、例えば光ディスク１０の排出を要求するイジェクトボタンなどの操作や電気機器からの排出を要求する要求信号の受信など、光ディスク１０の排出要求をシステム制御部が認識すると、システム制御部は搬送モータを適宜駆動させ、一対の台座部２１０を離間する状態に回動させるとともに、ディスク搬送部３００のガイド部材３１０および搬送ローラ３２０が近接する状態に動作させる。さらに、搬送ローラ３２０を回転させる制御をする。このことにより、ターンテーブル２２２および回転子による光ディスク１０の挾持が解除されるとともに、ガイド部材３１０および回転する搬送ローラ３２０間に光ディスク１０が挾持され、光ディスク１０は開口部を介して搬出される。
【００４４】
この光ディスク１０の搬出の際、通常は、光ディスク１０の中心が対称軸Ｘ上を移動する状態、すなわち図６に示す移動経路である移動軌跡Ａで光ディスク１０が搬送される。ところで、ガイド部材３１０および搬送ローラ３２０と光ディスク１０との摩擦の状態により、例えば図５に示すように、光ディスク１０の中心が対称軸Ｘから外れて搬出されるおそれがある。特に、約８ｃｍの光ディスク１０は、開口部の幅に対して径が小さいため、約１２ｃｍの光ディスクに比べて中心が対称軸Ｘからより大きく外れて搬出される可能性がある。具体的には、光ディスク１０の中心が搬送中に対称軸Ｘから外れる移動経路である移動軌跡Ｂ、一旦対称軸Ｘから外れてから対称軸Ｘ上に位置する状態に移動する移動経路である移動軌跡Ｃ、一旦対称軸Ｘから外れてからさらに対称軸Ｘより外れる状態に移動する移動経路である移動軌跡Ｄ、および、対称軸Ｘから外れたままで対称軸Ｘに沿う状態で移動する移動経路である移動軌跡Ｅ、の状態で搬送されるおそれがある。なお、図６は、説明の都合上、光ディスク１０の中心が対称軸Ｘに対して一側にずれた場合の移動軌跡を示す。そして、以下の検知スイッチＳＷ１〜ＳＷ４の括弧内の表記は反対側にずれた場合を表す。また、以下の説明は、主に８ｃｍの光ディスク１０に関した例示である。
【００４５】
そして、通常の移動軌跡Ａの場合では、搬出される光ディスク１０の外周縁が検知ローラ５１１に当接し、コイルばねの付勢力に抗して移動するスライド部材５１０，５２０により、まず図７（Ａ），（Ｂ）に示すように検知スイッチＳＷ１，ＳＷ２がほぼ同時にオフした後に、図７（Ｃ），（Ｄ）に示すように、検知スイッチＳＷ３，ＳＷ４がほぼ同時にオフする。さらに、光ディスク１０の搬出に伴って、スライド部材５１０，５２０が両側方に向けて移動する。この状態でさらに光ディスク１０が搬出されると、図７（Ｃ），（Ｄ）に示すように、検知スイッチＳＷ３，ＳＷ４がほぼ同時に再びオンする。この状態で、システム制御部は、径寸法が８ｃｍの光ディスク１０が所定の取り出し位置、すなわち開口部から光ディスク１０の軸孔１０Ａがケース体１１０外に臨む状態まで搬送される。この時点で、システム制御部は、搬送モータの駆動を停止する。この状態では、光ディスク１０の外周縁の一部がガイド部材３１０および搬送ローラ３２０間に挾持された状態で、開口部から脱落することはない。
【００４６】
また、移動軌跡Ｂの場合、搬出当初は対称軸Ｘ上に位置することから、図８（Ａ），（Ｂ）に示すように、検知スイッチＳＷ１，ＳＷ２が略同時にオフする。すなわち、検知スイッチＳＷ１（ＳＷ２）がオフしてから他方の検知スイッチＳＷ２（ＳＷ１）がオフする間での第１の時間差である時間差Δｔ１はほぼ０である。そして、移動軌跡Ｂでは、搬出途中で対称軸Ｘから外れるため、対称軸Ｘに対して位置ずれする側に対応するスライド部材５１０（５２０）の方が離れた状態となり、例えば図８（Ｃ），（Ｄ）に示すように検知スイッチＳＷ３（ＳＷ４）が検知スイッチＳＷ４（ＳＷ３）より早くオフする。この一方の検知スイッチＳＷ３（ＳＷ４）がオフした際に、システム制御部は、図示しない計時手段にて検知スイッチＳＷ４（ＳＷ３）がオフするまでの第２の時間差である時間差Δｔ２を計時する。この時間差Δｔ１がほぼ０で時間差Δｔ２が所定時間を超えると、システム制御部は光ディスク１０が移動軌跡Ｂの状態で搬出されていると判断する。さらに、光ディスク１０が搬出されると、対称軸Ｘに対して位置ずれする側に対応するスライド部材５１０（５２０）が対称軸Ｘに対して遠い位置に位置することから、図８（Ｃ），（Ｄ）に示すように、検知スイッチＳＷ４（ＳＷ３）が先にオンしてから検知スイッチＳＷ３（ＳＷ４）がオンする状態となる。
【００４７】
この検知スイッチＳＷ３（ＳＷ４）がオンする状態で搬送モータの駆動を停止すると、通常の搬出における取り出し位置より光ディスク１０が進出した状態となり、光ディスク１０がガイド部材３１０および搬送ローラ３２０にて挾持されずに脱落するなどのおそれがある。また、検知スイッチＳＷ４（ＳＷ３）がオンする状態で搬送モータの駆動を早めに停止すると、取り出し位置より手前で搬出が終了し、軸孔１０Ａが開口部からケース体１１０の外部に完全に臨む位置とならず、光ディスク１０を良好に取り出せなくなるおそれがある。したがって、システム制御部は、例えばΔｔ２の時間長や検知スイッチＳＷ２（ＳＷ１）および検知スイッチＳＷ３（ＳＷ４）のオフする時点における時間差の長さなどに基づいて、先にオンする検知スイッチＳＷ４（ＳＷ３）がオンしてから、所定の時間長α（例えば（（Δｔ２）／２）＋ρ）の経過後に搬送モータの駆動を停止させる処理をする。すなわち、搬送ローラ３２０の回転速度に基づいて、通常の移動軌跡Ａにおける取り出し位置における光ディスク１０の進出量とほぼ同等の進出量となる時間長αに設定しておく。このことにより、移動軌跡Ｂの場合でも、通常の移動軌跡Ａにおける取り出し位置における光ディスク１０の進出量とほぼ同等の進出量で搬出が完了され、脱落が生じたり取り出しにくくなるなどの不都合が生じず、良好に光ディスク１０が搬出される。
【００４８】
さらに、移動軌跡Ｃの場合、搬出当初は対称軸Ｘからずれていることから、対称軸Ｘに対して位置ずれする側に対応するスライド部材５１０（５２０）の方が離れた状態となり、図９（Ａ），（Ｂ）に示すように、検知スイッチＳＷ１（ＳＷ２）がオフしてから検知スイッチＳＷ２（ＳＷ１）がオフする状態となる。この一方の検知スイッチＳＷ１（ＳＷ２）がオフした際に、システム制御部は、図示しない計時手段にて検知スイッチＳＷ２（ＳＷ１）がオフするまでの時間差Δｔ１を計時する。さらに、光ディスク１０が搬出されると、光ディスク１０の中心が対称軸Ｘ上に位置する状態となり、通常の移動軌跡Ａの場合と同様に、図９（Ｃ），（Ｄ）に示すように、検知スイッチＳＷ３，ＳＷ４がほぼ同時にオフする。このことにより、システム制御部は、検知スイッチＳＷ３，ＳＷ４がオフする時間差Δｔ２がほぼ０であることを認識し、光ディスク１０が移動軌跡Ｃの状態で搬出され、搬出中の光ディスク１０が適切な中央に位置していると判断する。このため、システム制御部は、検知スイッチＳＷ３，ＳＷ４が再び両方ともオンする状態を認識した際に、搬送モータの駆動を停止させ、搬出を完了する。
【００４９】
なお、この移動軌跡Ｃにおいて、搬出途中で光ディスク１０の中心が対称軸Ｘに近づく状態となるが対称軸Ｘ上に位置しない状態では、図１０（Ｃ），（Ｄ）に示すように、位置ずれする側が検知スイッチＳＷ３（ＳＷ４）がオフしてから検知スイッチＳＷ４（ＳＷ３）がオフする状態となり、時間差Δｔ２が生じることとなる。そして、システム制御部時間差Δｔ１，Δｔ２に基づいて、Δｔ１＞Δｔ２と判断した場合、光ディスク１０の中心が次第に対称軸Ｘに近づいている状態と判断する。このことにより、システム制御部は、例えばΔｔ２の時間長や検知スイッチＳＷ２（ＳＷ１）および検知スイッチＳＷ３（ＳＷ４）のオフする時点における時間差Δｔ１，Δｔ２の長さなどに基づいて、先にオンする検知スイッチＳＷ４（ＳＷ３）がオンしてから、所定の時間長ε（例えば（（Δｔ２／２））−ρ）の経過後に搬送モータの駆動を停止させる処理をする。なお、この時間長εは、移動軌跡Ｂにおける時間長αより短い時間に設定される。すなわち、通常の移動軌跡Ａにおける取り出し位置での光ディスク１０の進出量とほぼ同等の進出量で搬出が完了する時間長に設定する。このことにより、移動軌跡Ｃであって対称軸Ｘ上にはまだ位置しない状態の場合でも、脱落が生じたり取り出しにくくなるなどの不都合が生じず、良好に光ディスク１０が搬出される。
【００５０】
また、移動軌跡Ｄの場合、搬出当初は対称軸Ｘからずれていることから、対称軸Ｘに対して位置ずれする側に対応するスライド部材５１０（５２０）の方が離れた状態となり、図１１（Ａ），（Ｂ）に示すように、検知スイッチＳＷ１（ＳＷ２）がオフしてから検知スイッチＳＷ２（ＳＷ１）がオフする状態となる。この一方の検知スイッチＳＷ２（ＳＷ１）がオフした際に、システム制御部は、図示しない計時手段にて検知スイッチＳＷ１（ＳＷ２）がオフするまでの時間差Δｔ１を計時する。そして、移動軌跡Ｄでは、搬出途中でさらに対称軸Ｘから外れるため、対称軸Ｘに対して位置ずれする側に対応するスライド部材５１０（５２０）の方が離れた状態となり、例えば図１１（Ｃ），（Ｄ）に示すように検知スイッチＳＷ３（ＳＷ４）が検知スイッチＳＷ４（ＳＷ３）より早くオフする。この一方の検知スイッチＳＷ３（ＳＷ４）がオフした際に、システム制御部は、図示しない計時手段にて検知スイッチＳＷ４（ＳＷ３）がオフするまでの時間差Δｔ２を計時する。
【００５１】
そして、システム制御部は、時間差Δｔ１，Δｔ２に基づいて、Δｔ１＜Δｔ２と判断した場合、光ディスク１０が移動軌跡Ｄの状態で搬送されていると判断する。このことにより、システム制御部は、例えばΔｔ２の時間長や検知スイッチＳＷ２（ＳＷ１）および検知スイッチＳＷ３（ＳＷ４）のオフする時点における時間差の長さなどに基づいて、先にオンする検知スイッチＳＷ４（ＳＷ３）がオンしてから、所定の時間長β（例えば（（Δｔ２）／２）＋２ρ）の経過後に搬送モータの駆動を停止させる処理をする。なお、この時間長βは、移動軌跡Ｂにおける時間長αより長い時間に設定される。すなわち、通常の移動軌跡Ａにおける取り出し位置での光ディスク１０の進出量とほぼ同等の進出量で搬出が完了する時間長に設定する。このことにより、移動軌跡Ｄの場合でも、脱落が生じたり取り出しにくくなるなどの不都合が生じず、良好に光ディスク１０が搬出される。
【００５２】
また、移動軌跡Ｅの場合、搬出当初は対称軸Ｘからずれていることから、対称軸Ｘに対して位置ずれする側に対応するスライド部材５１０（５２０）の方が離れた状態となり、図１２（Ａ），（Ｂ）に示すように、検知スイッチＳＷ１（ＳＷ２）がオフしてから検知スイッチＳＷ２（ＳＷ１）がオフする状態となる。この一方の検知スイッチＳＷ１（ＳＷ２）がオフした際に、システム制御部は、図示しない計時手段にて検知スイッチＳＷ２（ＳＷ１）がオフするまでの時間差Δｔ１を計時する。そして、移動軌跡Ｅでは、搬出途中でも対称軸Ｘから外れた状態が変わらずにそのまま搬送されるため、例えば図１２（Ｃ），（Ｄ）に示すように検知スイッチＳＷ３（ＳＷ４）が検知スイッチＳＷ４（ＳＷ３）より早くオフする。この一方の検知スイッチＳＷ３（ＳＷ４）がオフした際に、システム制御部は、図示しない計時手段にて検知スイッチＳＷ４（ＳＷ３）がオフするまでの時間差Δｔ２を計時する。
【００５３】
そして、移動軌跡Ｅでは、対称軸Ｘから中心がずれているずれ量がほとんど変わらないことから、時間差Δｔ１，Δｔ２はほぼ同一の長さ、すなわちほぼΔｔ１＝Δｔ２となる。このことにより、システム制御部は、光ディスク１０が移動軌跡Ｅの状態で搬送されていると判断し、例えばΔｔ２の時間長や検知スイッチＳＷ２（ＳＷ１）および検知スイッチＳＷ３（ＳＷ４）のオフする時点における時間差の長さなどに基づいて、先にオンする検知スイッチＳＷ４（ＳＷ３）がオンしてから、所定の時間長γ（例えば（Δｔ２）／２）の経過後に搬送モータの駆動を停止させる処理をする。なお、この時間長γは、移動軌跡Ｂにおける時間長αより長く、移動軌跡Ｂおよび移動軌跡Ｄにおける時間長α，βより短い時間であるε＜γ＜α＜βの時間長に設定される。すなわち、通常の移動軌跡Ａにおける取り出し位置での光ディスク１０の進出量とほぼ同等の進出量で搬出が完了する時間長に設定する。このことにより、移動軌跡Ｅの場合でも、脱落が生じたり取り出しにくくなるなどの不都合が生じず、良好に光ディスク１０が搬出される。
【００５４】
〔ディスク装置の作用効果〕
上述したように、上記一実施の形態では、開口部の略中央における光ディスク１０の搬送方向に対する光ディスク１０の中心位置と基準の移動経路となる対称軸Ｘとの差異を検出手段５００により検出し、この光ディスク１０の検出状況であるこの光ディスク１０の中心における対称軸Ｘとの差異に応じて搬送モータの駆動を制御する。このため、搬出する際に、光ディスク１０が基準となる中央からずれて搬出されることによる搬出の停止タイミングがずれて、光ディスク１０が開口部から脱落したり開口部から十分に搬出できずに取り出しにくくなるなどを防止でき、基準の移動経路となる移動軌跡Ａで搬出される場合と同様の位置で搬出を完了でき、良好に搬出できる。
【００５５】
そして、開口部の略中央における光ディスク１０の搬出方向を対称軸Ｘとし、この対称軸Ｘから異なる距離となる状態に開口部の開口縁近傍で光ディスク１０を検知する検知スイッチＳＷ１〜ＳＷ４を配設している。このため、光ディスク１０の中心位置と基準の移動経路となる移動軌跡Ａである対称軸Ｘとの差異を簡単な構造で容易に検出でき、簡単な構成で容易に良好な搬出ができる。
【００５６】
また、光ディスク１０の検知として、光ディスク１０の外周面が当接する検知部を有しケース体１１０の幅方向で移動可能なスライド部材５１０，５２０を設け、このスライド部材５１０，５２０の移動状況により検知スイッチＳＷ１〜ＳＷ４をオンオフさせる構成としている。このため、より簡単な構造で光ディスク１０の搬出時の移動状況を容易に認識でき、より簡単な構成で良好な搬出ができる。
【００５７】
そして、検知スイッチＳＷ１〜ＳＷ４のオンオフの構成として、検知スイッチＳＷ１，ＳＷ２と検知スイッチＳＷ３，ＳＷ４とを搬送方向で変位する位置関係で配設するとともに、スライド部材５１０，５２０に設けた検知腕部５１２にスライド方向で段差となる第１の段差部５１２Ａおよび第２の段差部５１２Ｂを設けている。このため、より簡単な構成で光ディスク１０の検知ができ、良好な搬出が容易に得られる。
【００５８】
さらに、検知スイッチＳＷ１，ＳＷ２を、径寸法が１２ｃｍの光ディスク１０が対称軸Ｘに対して中心が一方に最もずれて開口部の開口縁に光ディスク１０の外周縁が当接する状態で挿入された際に、光ディスク１０の外周縁が搬送ローラ３２０の周面に当接する直前で光ディスク１０の外周縁が両方のスライド部材５１０，５２０の検知ローラ５１１に当接して検知スイッチＳＷ１，ＳＷ２ともオフする位置関係に配設している。このため、光ディスク１０の検知により光ディスク１０の外周縁が搬送ローラ３２０に当接する前に搬送ローラ３２０が回転する状態が得られ、光ディスク１０が搬送ローラ３２０およびガイド部材３１０間に滑り込ませることを防止でき、光ディスク１０が搬送ローラ３２０と擦れることによる記録面の損傷を確実に防止できるとともに、挿入時に位置関係を気にせず挿入作業ができ、使い勝手を向上できる。
【００５９】
そしてさらに、検知スイッチＳＷ１，ＳＷ２を、径寸法が約８ｃｍの光ディスク１０が開口部から挿入されて外周縁が搬送ローラ３２０の周面に当接する直前で検知ローラ５１１に当接して少なくとも一方の検知スイッチＳＷ１（ＳＷ２）がオフする状態となっている。このため、径寸法が小さい８ｃｍの光ディスク１０が開口部の中心位置から最も偏って挿入されても、搬送ローラ３２０に当接する前に搬送ローラ３２０の回転が開始するので、径寸法が異なる光ディスク１０が挿入されても確実に搬送ローラ３２０を回転させて、記録面を傷つけることなく搬入できるとともに、挿入時に位置関係を気にせず挿入作業ができ、使い勝手を向上できる。
【００６０】
さらに、検知スイッチＳＷ１，ＳＷ２を、光ディスク１０が処理位置に略位置し搬入検知手段４００が処理位置に略位置することを検知する状態でオンする状態となる位置に配設されている。すなわち、光ディスク１０が処理位置に位置する場合には、スライド部材５１０，５２０の検知部に当接していない。このため、光ディスク１０を安定して回転でき、安定した情報処理ができる。
【００６１】
また、検知スイッチＳＷ３，ＳＷ４は、径寸法が約８ｃｍの光ディスク１０がケース体１１０内から搬出される際に、外周縁の一部がガイド部材３１０および搬送ローラ３２０に挾持される状態でかつ光ディスク１０の略中央に開口する軸孔１０Ａが開口部からケース体１１０外に位置する状態で検知スイッチＳＷ３，ＳＷ４は両方ともほぼ同時にオンからオフ状態となる位置に配設されている。このため、光ディスク１０の搬送時の位置ずれ状況を容易に認識できるとともに、８ｃｍの径寸法が小さい光ディスクでも、脱落することなく取り出しやすい軸孔１０Ａが外部に臨む状態で搬出を完了する制御ができる。
【００６２】
さらに、検知スイッチＳＷ１，ＳＷ３（ＳＷ２，ＳＷ４）がオフする状態で、搬出される約８ｃｍの光ディスク１０の外周面が搬送ローラ３２０およびガイド部材３１０との挾持が解除される前に検知スイッチＳＷ４（ＳＷ３）がオンする位置関係に配設されている。このため、光ディスク１０の搬送時の位置ずれ状況を容易に認識できるとともに、８ｃｍの光ディスク１０が位置ずれして搬送されても、脱落することなく取り出しやすい軸孔１０Ａが外部に臨む状態で搬出を完了する制御ができる。
【００６３】
そして、開口部の長手方向の一端側に位置して光ディスク１０を検知する種別検知スイッチＳＷ５を設けている。このため、径寸法が異なる光ディスク１０を簡単な構造で容易に検知でき、径寸法が異なる光ディスク１０でも適切な位置で搬出を完了させる制御が容易に得られる。さらに、種別検知スイッチＳＷ５を、約１２ｃｍの光ディスク１０が挿入される際に、光ディスク１０の外周面が搬送ローラ３２０に当接する直前で、種別検知腕部５１３によりオンするとともに検知スイッチＳＷ２がオフする位置関係に配設している。このため、偏って光ディスク１０が挿入されても確実に挿入を検知でき、搬送ローラ３２０を回転させて搬入させることができるので、上述したように記録面が傷付くことなく良好に搬入できるとともに、挿入時に位置関係を気にせず挿入作業ができ、使い勝手を向上できる。
【００６４】
また、検知スイッチＳＷ１，ＳＷ２のオフになるタイミングの時間差Δｔ１と、検知スイッチＳＷ３，ＳＷ４のオフになるタイミングの時間差Δｔ２とのに基づいてディスク搬送部３００の搬送モータの駆動を制御している。すなわち、搬出される光ディスク１０の中心と対称軸Ｘとの位置ずれ状態が時間差Δｔ１，Δｔ２に表れるので、時間差Δｔ１，Δｔ２により容易に光ディスク１０の搬出時の移動状況を容易に認識でき、適切な位置で搬出を停止させる制御が容易に得られる。さらには、時間差Δｔ１，Δｔ２の大小による簡単な演算処理で移動状況に対応した搬出制御ができる。
【００６５】
そして、時間差Δｔ２がほぼ０である場合には、検知スイッチＳＷ３，ＳＷ４が再びほぼ同時にオンする時点で搬送モータを停止させている。すなわち、時間差Δｔ２がほぼ０である場合には、検知スイッチＳＷ３，ＳＷ４が再びほぼ同時にオンする時点では、搬送される光ディスク１０の中心が対称軸Ｘに位置する状態となっている。このため、検知スイッチＳＷ３，ＳＷ４が再びほぼ同時にオンする時点では、光ディスク１０は中心が対称軸Ｘ上に位置して搬出されている状態となっているので、その時点で搬出を停止することで、基準の進出量で搬出を完了でき、良好な搬出状態が容易な検知および時間制御でできる。
【００６６】
また、所定の時間長であるε＜γ＜α＜βの時間長関係に設定しておき、時間差Δｔ１がほぼ０で時間差Δｔ２が時間差Δｔ１より長い場合には、移動軌跡Ｂと判断して一方の検知スイッチＳＷ４（ＳＷ３）が再びオンしてから時間長αだけ駆動させ、時間差Δｔ１，Δｔ２とも０ではなくほぼΔｔ１＝Δｔ２では、移動軌跡Ｅと判断して一方の検知スイッチＳＷ４（ＳＷ３）が再びオンしてから時間長γだけ駆動させ、時間差Δｔ１，Δｔ２とも０ではなく時間差Δｔ２が時間差Δｔ１より長い場合には、移動軌跡Ｄと判断して一方の検知スイッチＳＷ４（ＳＷ３）が再びオンしてから時間長βだけ駆動させる制御をしている。このため、位置ずれしていても、簡単な構成で良好な搬出状態が容易な検知および時間制御でできる。
【００６７】
そして、これら時間長ε，α，β，γは、他方の検知スイッチＳＷ３（ＳＷ４）をも再びオンする前の時間長、すなわち搬送ローラ３２０の回転速度に基づいて通常の移動軌跡Ａにおける取り出し位置における光ディスク１０の進出量とほぼ同等の進出量となる時間長に設定している。このため、簡単な構成で簡単な演算処理でも進出量がほぼ一定となる搬出処理が容易に得られる。
【００６８】
また、光ディスク１０の処理位置における有無を検知する搬入検知手段４００により光ディスク１０がないと認識した状態で検知スイッチＳＷ１，ＳＷ２のオフを認識した場合に、搬送モータを駆動させる制御をする。このため、既に光ディスク１０が挿入されている状態でさらに光ディスク１０が挿入されることを検知して搬送モータは駆動しないので搬入が実施されず、誤挿入を防止できる。
【００６９】
そして、搬出を要求する旨の信号を認識すると光ディスク１０を搬出する処理を開始させている。すなわち、光ディスク１０が挿入されていない状態で検出手段５００が光ディスク１０を検出すると、その光ディスク１０は挿入状態にあることを認識できることから、搬出を要求する旨の信号に基づいて、光ディスク１０の挿入状態の認識により所定方向に搬送ローラ３２０が回転する状態に搬送モータを駆動させたり搬送モータからの駆動力を伝達させたりすればよい。また、搬出を要求する旨の信号の認識により、搬送ローラ３２０が搬出させる方向に搬送ローラ３２０が回転する状態に制御すればよい。このことから、搬入用および搬出用のそれぞれの搬送装置を設ける必要がなく、１つの構成で搬入および搬出ができる構成が得られ、装置の小型化が容易に図れる。
【００７０】
また、ディスク搬送部３００として、正面視で逆Ｖ字型となるガイド部材３１０と長尺鼓型の搬送ローラ３２０とにて挾持して搬送する構成としている。このため、光ディスク１０の中心が大きく対称軸Ｘから外れるにしたがって挾持される位置での挾持による力のバランスが大きく偏る状態となることから、大きく位置ずれして搬出されにくく、上述したような検知スイッチＳＷ１〜ＳＷ４およびスライド部材５１０，５２０の簡単な構成で搬出完了時の安定した進出量で制御することが容易に得られる。
【００７１】
〔実施形態の変形〕
なお、本発明は、上述した一実施の形態に限定されるものではなく、本発明の目的を達成できる範囲で以下に示される変形をも含むものである。
【００７２】
すなわち、ディスク状記録媒体を利用するディスク装置１００について例示したが、上述したように、光ディスク１０に限らず、磁気ディスク、光磁気ディスクなどのいずれのディスク状記録媒体を対象とすることができる。また、読取処理あるいは記録処理の一方のみを処理する構成のものにも適用できる。さらに、搬出する被搬出物としては、記録媒体に限らず、いずれのディスク状のものを対称とすることができる。また、電気機器に組み込まれる構成に限らず、単体として構成したものでもよい。さらに、ディスク装置１００内に搭載する回路基板としたシステム制御部として、１つの素子やプログラム構成とするなどしてもよい。また、ディスク装置１００に組み込まれた構成に限らず、検出手段５００とシステム制御部との制御装置として搬出手段の駆動を制御する単体構成としてもよく、搬出手段と組み合わせた単体の搬送装置としてもよい。
【００７３】
そして、光ディスク１０を搬送するディスク搬送部３００の構成として、上述した構成に限らず、例えば対をなすローラにて搬出したり、回動するアームにて搬出したりするなど、いずれの構成も適用できる。さらに、搬入および搬出の双方の処理を制御する構成として説明したが、搬出時の制御のみの構成としてもよい。
【００７４】
また、検知スイッチＳＷ１〜ＳＷ４にて搬出される光ディスク１０を検出する構成で説明したが、例えばスイッチ構成に限らず、例えばフォトセンサを利用するなどしてもよい。さらには、２対４つに限らず、開口部の開口縁に一連に設けるなどしてもよい。そして、配設位置も上述した構成に限らない。例えば８ｃｍの搬送は対称としないディスク装置１００の配置位置とするなど、搬出される光ディスク１０の位置ずれ状態を検知可能ないずれの構成が利用できる。さらには、種別検知スイッチＳＷ５を設けなくてもよい。そして、制御に関しても、検知する構成に対応して位置ずれに対応して搬出完了タイミングを変更させて進出量が一定となる状態に制御するなどとすればよい。
【００７５】
さらに、検知スイッチＳＷ１〜ＳＷ４の２対４つの構成で説明したが、１対の構成としてもよい。例えば、図１３または図１４に示すような２つの検知スイッチＳＷ３，ＳＷ４を用いても搬出量が一定となる状態に制御することができる。
【００７６】
具体的には、一対の検知スイッチＳＷ３，ＳＷ４による光ディスク１０の検知状況、すなわちオンオフするタイミングに基づいて、それぞれ光ディスク１０を検知するオフとなる時点での時間差Δｔ２を計時する。そして、例えば図１３に示すように、所定の閾値である所定時間を経過していない比較的に短い時間差であれば、例えば誤差範囲と判断して略同時に双方の検知スイッチＳＷ３，ＳＷ４が光ディスク１０を検知しなくなるオンとなった時点で搬送モータの駆動を停止させる制御をする。一方、例えば図１４に示すように、時間差Δｔ２が所定時間以上であることを認識すると、システム制御部は、光ディスク１０がずれて搬送されていると判断して、いずれか一方、すなわち先に検知しなくなるオンとなる検知スイッチＳＷ４（ＳＷ３）から所定の時間長δを経過した時点で搬送モータの駆動を停止させる。このことにより、図１２に示す対称軸Ｘ上を光ディスク１０の中心が略一致して搬送される場合における光ディスク１０の搬出停止位置と略同じ位置で搬出が完了することとなる。ここで、所定の時間長δとしては、例えば（Δｔ２）／２とするなどが例示できる。すなわち、大半の場合、オンからオフとなる際の時間差と、オフからオンとなる際の時間差とが略同等であるので、停止させるタイミングの時間を（Δｔ２）／２とすれば略同じ位置での搬出完了状態が得られる。
【００７７】
そして、時間差Δｔ１，Δｔ２に基づいて制御したが、上述したように、例えば検知スイッチＳＷ２（ＳＷ１）および検知スイッチＳＷ３（ＳＷ４）のオフする時点におけるさらに他の時間差を利用するなどの他の時間差基準で判断してもよい。さらには、他の時間差基準をも考慮して制御するなどしてもよい。このような構成とすることにより、光ディスク１０の搬出時の位置ずれ状況をより確実に認識でき、より確実に一定の進出量での搬出処理が得られる。さらには、時間差により搬出状況を制御する構成に限らず、位置ずれ状況に応じて搬送ローラ３２０の回転速度を制御して一定となるようにしてもよい。さらには、検知部との位置関係により制御してよい。
【００７８】
すなわち、検知部の中心位置（Ｘ，Ｙ）、検知部の直径寸法をＤ、ディスク状の被搬送物の直径をｄ、被搬送物の中心位置（ｘ，ｙ）とした場合、以下の式が成り立つ。
【００７９】
（数１）
（Ｘ−ｘ）2＋（Ｙ−ｙ）2＝（Ｄ＋ｄ）2
【００８０】
そして、検知スイッチＳＷ３（ＳＷ４）がオフした時点での検知位置では、（Ｘ，Ｙ）、ｄ、Ｄの各値は一定である。このことにより、数１の式を利用すれば、被搬送物の中心位置が特定できることから、その位置と基準の位置とに基づいて、搬出量を特定し、その時間に対応する時間で搬送ローラ３２０の回転駆動を制御すればよい。さらに、搬送ローラ３２０の回転速度が例えば環境などにより変動する場合でも、検知スイッチＳＷ１〜ＳＷ４の位置における上記数１の式を利用して時間と速度と距離との関係に基づいて速度を特定して制御すればよい。具体的には、位置ずれする側に位置する検知スイッチＳＷ３（ＳＷ４）の位置を（Ｘsw3，Ｙsw3）と検知スイッチＳＷ１（ＳＷ２）の位置を（Ｘsw1，Ｙsw1）、それぞれの検知時における被搬送物の中心を（ｘsw3，ｙsw3）、（ｘsw1，ｙsw1）とした場合、上記数１の式に基づいて、以下の数２および数３の式が得られ、これらから数４の式に基づいて速度Ｖが認識できる。この数４において、Δｔｃは、（Δｔ１−Δｔ２）の絶対値である。
【００８１】
（数２）
（Ｘsw1−ｘsw1）2＋（Ｙsw1−Ｖ×Δｔ１）2＝（Ｄ＋ｄ）2
【００８２】
（数３）
（Ｘsw3−ｘsw3）2＋（Ｙsw3−Ｖ×Δｔ２）2＝（Ｄ＋ｄ）2
【００８３】
（数４）
Ｖ＝（ｘsw1−ｘsw3）／Δｔｃ
【００８４】
その他、本発明の実施の際の具体的な構造および手順は、本発明の目的を達成できる範囲で他の構造などに適宜変更できる。
【００８５】
〔実施の形態の効果〕
上述したように、開口部の略中央における光ディスク１０の搬送方向に対する光ディスク１０の中心位置と基準の移動経路となる対称軸Ｘとの差異を検出手段５００により検出し、この光ディスク１０の検出状況であるこの光ディスク１０の中心における対称軸Ｘとの差異に応じて搬送モータの駆動を制御する。このため、光ディスク１０が位置ずれして搬出されても基準の移動経路となる移動軌跡Ａで搬出される場合と同様の位置で搬出を完了でき、良好に搬出できる。
【００８６】
また、開口部の略中央における光ディスク１０の搬送方向に対する光ディスク１０の中心位置と基準の移動経路となる対称軸Ｘから略等距離に配設した検出手段５００の検知スイッチＳＷ３，ＳＷ４による光ディスク１０の検出時の時間差Δｔ２が所定時間以上である場合、搬送モータの駆動の停止時期を変更する制御をする。このため、光ディスク１０が位置ずれして搬出されても、基準の移動経路となる位置ずれしない状態で搬出される場合と同様の位置で搬出を完了でき、良好に搬出できる。
【００８７】
さらに、開口部の略中央における光ディスク１０の搬送方向に対する光ディスク１０の中心位置と基準の移動経路となる対称軸Ｘから異なる距離で配設した２対の検知スイッチＳＷ１〜ＳＷ４による光ディスク１０の検出状況に応じて搬送モータの駆動を制御する。このため、光ディスク１０が位置ずれして搬出されても基準の移動経路となる移動軌跡Ａで搬出される場合と同様の位置で搬出を完了でき、良好に搬出できる。
【図面の簡単な説明】
【００８８】
【図１】本発明における一実施の形態に係るディスク装置の概略構成を示す一部を切り欠いた平面図である。
【図２】前記一実施の形態におけるディスク装置の概略構成を示す一部を切り欠いた平面図である。
【図３】前記一実施の形態におけるディスク搬送部の概略構成を示す概念図である。
【図４】前記一実施の形態におけるディスク装置の検出手段近傍を示す一部を切り欠いた平面図である。
【図５】前記一実施の形態におけるディスク装置の検出手段近傍を示す一部を切り欠いた平面図である。
【図６】前記一実施の形態における光ディスクの搬出時の中心の移動軌跡の状況を検知スイッチとの関係で示す説明図である。
【図７】前記一実施の形態における移動軌跡Ａの場合の検知スイッチの波形図で、（Ａ）は検知スイッチＳＷ１の波形図、（Ｂ）は検知スイッチＳＷ２の波形図、（Ｃ）は検知スイッチＳＷ３の波形図、（Ｄ）は検知スイッチＳＷ４の波形図である。
【図８】前記一実施の形態における移動軌跡Ｂの場合の検知スイッチの波形図で、（Ａ）は検知スイッチＳＷ１の波形図、（Ｂ）は検知スイッチＳＷ２の波形図、（Ｃ）は検知スイッチＳＷ３の波形図、（Ｄ）は検知スイッチＳＷ４の波形図である。
【図９】前記一実施の形態における移動軌跡Ｃの場合の検知スイッチの波形図で、（Ａ）は検知スイッチＳＷ１の波形図、（Ｂ）は検知スイッチＳＷ２の波形図、（Ｃ）は検知スイッチＳＷ３の波形図、（Ｄ）は検知スイッチＳＷ４の波形図である。
【図１０】前記一実施の形態における移動軌跡Ｃの場合であって光ディスクの中心が対称軸上に位置しない場合の検知スイッチ波形図で、（Ａ）は検知スイッチＳＷ１の波形図、（Ｂ）は検知スイッチＳＷ２の波形図、（Ｃ）は検知スイッチＳＷ３の波形図、（Ｄ）は検知スイッチＳＷ４の波形図である。
【図１１】前記一実施の形態における移動軌跡Ｄの場合の検知スイッチの波形図で、（Ａ）は検知スイッチＳＷ１の波形図、（Ｂ）は検知スイッチＳＷ２の波形図、（Ｃ）は検知スイッチＳＷ３の波形図、（Ｄ）は検知スイッチＳＷ４の波形図である。
【図１２】前記一実施の形態における移動軌跡Ｅの場合の検知スイッチの波形図で、（Ａ）は検知スイッチＳＷ１の波形図、（Ｂ）は検知スイッチＳＷ２の波形図、（Ｃ）は検知スイッチＳＷ３の波形図、（Ｄ）は検知スイッチＳＷ４の波形図である。
【図１３】本発明における他の実施の形態に係るディスク装置での基準の移動軌跡で略搬出される場合の検知スイッチの波形図で、（Ａ）は検知スイッチＳＷ３の波形図、（Ｂ）は検知スイッチＳＷ４の波形図である。
【図１４】前記他の実施の形態における基準の移動軌跡から位置ずれして搬出される場合の検知スイッチの波形図で、（Ａ）は検知スイッチＳＷ３の波形図、（Ｂ）は検知スイッチＳＷ４の波形図である。
【符号の説明】
【００８９】
１０……被搬送物であるディスク状記録媒体としての光ディスク
１００……ディスク装置
１１０……ケース体
２３０……情報処理手段としての光ピックアップ
３００……搬出手段としてのディスク搬送部
４００……収容検出手段としての搬入検知手段
５００……検出手段
Ａ，Ｂ，Ｃ，Ｄ，Ｅ…移動経路である移動軌跡
ＳＷ１〜ＳＷ４…検出部としての検知スイッチ
ＳＷ５……検出部としての検知スイッチ
Ｘ……対称軸
α……第１の所定時間である時間長
β……第３の所定時間である時間長
γ……第２の所定時間である時間長
ε……所定時間である時間長
δ……時間長
Δｔ１……第１の時間差である時間差
Δｔ２……第２の時間差である時間差
【図１】
2005293684.tif 000003
【図２】
2005293684.tif 000004
【図３】
2005293684.tif 000005
【図４】
2005293684.tif 000006
【図５】
2005293684.tif 000007
【図６】
2005293684.tif 000008
【図７】
2005293684.tif 000009
【図８】
2005293684.tif 000010
【図９】
2005293684.tif 000011
【図１０】
2005293684.tif 000012
【図１１】
2005293684.tif 000013
【図１２】
2005293684.tif 000014
【図１３】
2005293684.tif 000015
【図１４】
2005293684.tif 000016